【手続補正書】
【提出日】平成18年11月21日(2006.11.21)
【手続補正１】
【補正対象書類名】明細書
【補正対象項目名】特許請求の範囲
【補正方法】変更
【補正の内容】
【特許請求の範囲】
【請求項１】  ネットワークを介する通信により情報処理装置からジョブを受信して処理する周辺機器であって、
前記ジョブの開始タイミングを特定するためのジョブ処理開始モードに対して指定可能な属性値を保持する属性値保持手段と、
前記情報処理装置からの属性値獲得要求に基づき、前記属性値保持手段に保持されている前記ジョブ処理開始モードを指定するための属性値を前記情報処理装置に返信する返信手段と、
を有することを特徴とする周辺機器。
【請求項２】  前記属性値は、前記ジョブの開始タイミングを特定するために指定可能な値であることを特徴とする請求項１記載の周辺機器。
【請求項３】  前記ジョブ処理開始モードは、前記ジョブの投入後、指定された時間の経過後に該ジョブを実行させるモードを含むことを特徴とする請求項１記載の周辺機器。
【請求項４】  前記属性値は、ジョブ投入後の経過時間の最大値であることを特徴とする請求項１記載の周辺機器。
【請求項５】  前記指定された時間は、絶対時間または相対時間であることを特徴とする請求項３記載の周辺機器。
【請求項６】  ネットワークを介して所定の機能処理を実行する周辺機器と通信してジョブの処理を要求する情報処理装置であって、
前記ジョブの開始タイミングを特定するためのジョブ処理開始モードの属性値の獲得要求を行う属性値獲得手段と、
前記属性値獲得手段により獲得された前記属性値に基づき、表示手段に対して指定可能なジョブ処理開始モードの一覧を表示する表示制御手段と、
を有することを特徴とする情報処理装置。
【請求項７】  ネットワークを介する通信により情報処理装置からジョブを受信して処理する周辺機器におけるジョブ処理方法であって、
前記情報処理装置からの属性値獲得要求に基づき、属性値保持手段に保持されている前記ジョブの開始タイミングを特定するためのジョブ処理モードを指定するための属性値を前記情報処理装置に返信する返信ステップを有することを特徴とするジョブ処理方法。
【請求項８】  ネットワークを介して所定の機能処理を実行する周辺機器と通信してジョブの処理を要求する情報処理装置におけるジョブ処理方法であって、
前記ジョブの開始タイミングを特定するためのジョブ処理開始モードの属性値の獲得要求を行う属性値獲得ステップと、
前記属性値獲得ステップにより獲得された前記属性値に基づき、表示手段に対して指定可能なジョブ処理開始モードの一覧を表示する表示制御ステップと、
を有することを特徴とするジョブ処理方法。
【請求項９】  前記属性値獲得ステップは、前記周辺機器を制御するデバイスドライバで実行されることを特徴とする請求項８記載のジョブ処理方法。
【請求項１０】  前記表示制御ステップは、前記表示手段に表示されたジョブ処理開始モードの一覧中に対する選択指示に応答して、該選択されたジョブ処理開始モードに対する指定値入力画面をさらに表示することを特徴とする請求項８記載のジョブ処理方法。 
【請求項１１】  前記ジョブ処理開始モードは、前記ジョブの投入後に指定された時間の経過後に該ジョブを実行させるモードを含むことを特徴とする請求項８記載のジョブ処理方法。
【請求項１２】  前記属性値は、前記指定可能なジョブ投入後の経過時間の最大値であることを特徴とする請求項８記載のジョブ処理方法。
【請求項１３】  前記指定可能な時間は、絶対時間または相対時間であることを特徴とする請求項１１記載のジョブ処理方法。
【請求項１４】  請求項８〜１３のいずれかに記載のジョブ処理方法を実現するプログラムを記憶したコンピュータが読み取り可能な記憶媒体。
【請求項１５】  請求項８〜１３のいずれかに記載のジョブ処理方法を実現するプログラム。
【請求項１６】  情報処理装置からのジョブを処理する周辺機器であって、
ジョブの処理を開始する条件がそれぞれ異なる複数種類の開始モードのうち、前記周辺機器で指定可能な１または複数の開始モードを示す属性値を保持する属性値保持手段と、前記情報処理装置からの属性値の取得の要求に基づき、前記属性値保持手段に保持されている、前記周辺機器で指定可能な１または複数の開始モードを示す属性値を、前記情報処理装置に返信する返信手段と、
を有することを特徴とする周辺機器。
【請求項１７】  前記開始モードは、ジョブが前記周辺機器に入力されるのに応じてジョブが処理され始めるモード、ジョブが前記周辺機器に入力されてから、指定された時間が経過した後にジョブが処理され始めるモード、ジョブが前記周辺機器に入力された後、指定された時刻になるのに応じてジョブが処理され始めるモード、ジョブが前記周辺機器に入力された後、当該ジョブに対応するパスワードが入力されるのに応じて、ジョブが処理され始めるモード、ジョブが前記周辺機器に入力された後、印刷の指示が入力されるのに応じてジョブが処理され始めるモードのいずれかを含むことを特徴とする請求項１６に記載の周辺機器。
【請求項１８】  属性値の取得を要求する取得コマンド、属性値の設定を要求する属性設定コマンド、またはジョブデータを送信するための送信コマンドを受信する受信手段と、
前記受信手段により受信されたコマンドが、前記取得コマンド、前記属性設定コマンド及び前記送信コマンドのうちのいずれのコマンドであるかを判定するコマンド判定手段と、
受信手段により受信されたコマンドが属性設定コマンドで、当該属性設定コマンドが開始モードを示す属性値を含む場合、当該属性値が示す開始モードに従って、ジョブの処理を開始するタイミングを制御する開始制御手段とを有することを特徴とする請求項１に記載の周辺機器。
【請求項１９】  ジョブを処理する周辺機器と通信可能な情報処理装置で行われる情報処理方法であって、
ジョブの処理を開始する条件がそれぞれ異なる複数種類の開始モードのうち、前記周辺機器で指定可能な１または複数の開始モードを示す属性値を前記周辺機器から取得するする属性値取得ステップと、
前記属性値取得ステップで取得された属性値に基づき、前記周辺機器で指定可能な開始モードの一覧を表示する一覧表示ステップと、
を有することを特徴とする情報処理方法。
【手続補正２】
【補正対象書類名】明細書
【補正対象項目名】０００７
【補正方法】変更
【補正の内容】
【０００７】
【課題を解決するための手段】
本発明に係る第１の発明は、ネットワークを介する通信により情報処理装置からジョブを受信して処理する周辺機器であって、前記ジョブの開始タイミングを特定するためのジョブ処理開始モードに対して指定可能な属性値を保持する属性値保持手段と、前記情報処理装置からの属性値獲得要求に基づき、前記属性値保持手段に保持されている前記ジョブ処理開始モードを指定するための属性値を前記情報処理装置に返信する返信手段とを有することを特徴とする。
【手続補正３】
【補正対象書類名】明細書
【補正対象項目名】０００９
【補正方法】変更
【補正の内容】
【０００９】
本発明に係る第３の発明は、前記ジョブ処理開始モードは、前記ジョブの投入後、指定された時間の経過後に該ジョブを実行させるモードを含むことを特徴とする。
【手続補正４】
【補正対象書類名】明細書
【補正対象項目名】００１０
【補正方法】変更
【補正の内容】
【００１０】
本発明に係る第４の発明は、前記属性値は、ジョブ投入後の経過時間の最大値であることを特徴とする。
【手続補正５】
【補正対象書類名】明細書
【補正対象項目名】００１１
【補正方法】変更
【補正の内容】
【００１１】
本発明に係る第５の発明は、前記指定された時間は、絶対時間または相対時間であることを特徴とする。
【手続補正６】
【補正対象書類名】明細書
【補正対象項目名】００１３
【補正方法】変更
【補正の内容】
【００１３】
本発明に係る第７の発明は、ネットワークを介する通信により情報処理装置からジョブを受信して処理する周辺機器におけるジョブ処理方法であって、前記情報処理装置からの属性値獲得要求に基づき、属性値保持手段に保持されている前記ジョブの開始タイミングを特定するためのジョブ処理モードを指定するための属性値を前記情報処理装置に返信する返信ステップを有することを特徴とする。
【手続補正７】
【補正対象書類名】明細書
【補正対象項目名】００１５
【補正方法】変更
【補正の内容】
【００１５】
本発明に係る第９の発明は、前記属性値獲得ステップは、前記周辺機器を制御するデバイスドライバで実行されることを特徴とする。
【手続補正８】
【補正対象書類名】明細書
【補正対象項目名】００２３
【補正方法】変更
【補正の内容】
【００２３】
本発明に係る第１７の発明は、前記開始モードは、ジョブが前記周辺機器に入力されるのに応じてジョブが処理され始めるモード、ジョブが前記周辺機器に入力されてから、指定された時間が経過した後にジョブが処理され始めるモード、ジョブが前記周辺機器に入力された後、指定された時刻になるのに応じてジョブが処理され始めるモード、ジョブが前記周辺機器に入力された後、当該ジョブに対応するパスワードが入力されるのに応じて、ジョブが処理され始めるモード、ジョブが前記周辺機器に入力された後、印刷の指示が入力されるのに応じてジョブが処理され始めるモードのいずれかを含むことを特徴とする。
【手続補正９】
【補正対象書類名】明細書
【補正対象項目名】００２４
【補正方法】変更
【補正の内容】
【００２４】
本発明に係る第１８の発明は、属性値の取得を要求する取得コマンド、属性値の設定を要求する属性設定コマンド、またはジョブデータを送信するための送信コマンドを受信する受信手段と、前記受信手段により受信されたコマンドが、前記取得コマンド、前記属性設定コマンド及び前記送信コマンドのうちのいずれのコマンドであるかを判定するコマンド判定手段と、受信手段により受信されたコマンドが属性設定コマンドで、当該属性設定コマンドが開始モードを示す属性値を含む場合、当該属性値が示す開始モードに従って、ジョブの処理を開始するタイミングを制御する開始制御手段とを有することを特徴とする。
【手続補正１０】
【補正対象書類名】明細書
【補正対象項目名】００６２
【補正方法】変更
【補正の内容】
【００６２】
図６に示す「ジョブがサポートしている属性リスト」は、当該周辺機器で処理されるジョブが保持する属性を全て列挙している。また、「ジョブがサポートしている属性リスト」では、属性名（列６１０）と、その属性に関し、ドライバソフトウェアが、ジョブ投入時に属性値を設定可能な属性であるかどうか（列６１１）、既に投入されたジョブに対して属性値を変更可能な属性であるかどうか（列６１２）、投入されたジョブに対して属性値を獲得可能な属性であるかどうか（列６１３）を、それぞれ可能なものをＴＲＵＥで、不可能であるものをＦＡＬＳＥで示している。